(57)【要約】      （修正有）【課題】テープ止めタイプの紙おむつと併用されるタイプの介護用尿とりパッドに、便などの汚物が前面部を介して身体面の広範囲に拡散することを防止するための拡散防止機能を付加する。【解決手段】前面部１１と背面部５とが連結部分Ｃを介してつながった１枚の平坦な尿吸収部材において、上記連結部分Ｃに、横方向に立体的に盛り上がった土手部３が設けられ、さらに、土手部３の横方向に沿って背面部５の方向に向かう返しギャザー４が設けられた構成を採用する。【選択図】図２
2020049196.tif 000002
【特許請求の範囲】
【請求項１】
介護用尿とりパッド（１）の身体の会陰部に当たる位置（２）に大便拡散防止用の盛り上り状の土手（３）と返しギャザーとしての立体ギャザー（４）を設置して、身体前面部への大便の流れ込み、拡散を最小限とする方法。
【請求項２】
介護用尿とりパッド（１）を男性専用とするために、前記請求項１の設置形態に加えて、大便付着防止用シート（６）を盛り上り状の土手（３）に接続して設置する方法。及び陰のうの根元を持ち上げて、肛門と陰のうを分離させて、陰のうへの大便の付着を解消する方法。
【発明の詳細な説明】
【技術分野】
【０００１】  この発明は、自力でトイレに行けず介護を必要とする人が、テープ止めタイプ紙おむつと併用する時に使用する介護用尿とりパッドに関するものである。
【背景技術】
【０００２】  従来の介護用尿とりパッドは男女共用が中心で、性別の工夫が見当らない。尿とりパッドと呼称しながら、実態は大便受けも併用している。しかし大便が身体の前面側に流れて広がることが、残念ながら已むを得ない状況となっている。
【発明の概要】
【発明が解決しようとする課題】
【０００４】  従来の介護用尿とりパッドは次の様な欠点があった。
（イ）尿については相当量の吸収が可能になっているものの、大便については汚れ拡散の防止策がない。
（ロ）寝たきりの状態の場合、病院は人手不足の状況下では長時間の間、身体面の広範囲が大便で汚れたままで放置されていることが多い。個人宅での介護においては、特に大便の汚れの拭きとり、洗浄に労力がかかり、大変苦労している。
（ハ）介護の現場では、大便等による感染症が広く見られ、現実に大きな問題となっている。男性の陰のうに付着した大便の洗浄には大変手間がかかり、それぞれの現場で個別に工夫して対応している。
【課題を解決するための手段】
【０００５】  介護用尿とりパッド（１）の内側の、身体の会陰部に当たる位置（２）に、横方向に半円柱の盛り上った土手（３）を設ける。その半円柱の盛り上った土手（３）上に接続して、立体ギャザー（４）を設けて身体前面への大便流れ込みを堰どめする。男性向介護用尿とりパッドにする場合は、上記形態に加えて、陰のうへの大便付着防止用シート（６）を設置する。この大便付着防止用シート（６）は、陰のうの根元を半円形窓開き部分（８）でしっかりおさえて収める。その上部の長方形窓開き部分（９）で尿道口その他を開放するために、排尿時にストレスを与えることはない。以上の手段により、大便の身体前面への拡散が防止され、陰のうが根元から肛門と分離されることにより、大便が陰のうに付着する現象は大きく改善される。
【発明の効果】
【０００６】  （イ）大便が身体前面部分へ拡散するのを防げる。
（ロ）介護用尿とりパッドの取り替え時は、大便の拭きとりや洗浄が背面部中心になり作業が早く、楽になる。
（ハ）特に男性では、陰のうに大便がべったり付着することが解消される。
（ニ）女性の場合は、身体前面側のデリケートな部分に、大便が付着あるいは浸入することなく快適である。
（ホ）トイレでの大便の取り除き作業が楽になる。
【図面の簡単な説明】
【０００７】
【図１】  介護用尿とりパッドの平面図
【図２】  介護用尿とりパッドに土手と立体ギャザーを設置した斜視図
【図３】  大便付着防止用シートの平面図
【図４】  本発明の全体の斜視図
【発明を実施するための形態】
【０００８】  介護用尿とりパッド（１）の内側の、身体の会陰部が当たる位置（２）に、横方向に半円柱の盛り上った土手（３）を設ける。その半円柱の盛り上った土手（３）上に接続して、立体ギャザー（４）を設けて身体前面部への大便流れ込みを堰どめする。その立体ギャザー（４）は介護用尿とりパッド（１）の背面部（５）方向に向けて設置し、返しギャザーとして機能させる。この土手（３）と立体ギャザー（４）が、大便拡散防止用ギャザーつき土手として役割を果す。男性向介護用尿とりパッドとする場合は、上記形態に加えて陰のうの大便付着防止用シート（６）を設置する。大便付着防止用シート（６）は、半円柱の盛り上った土手（３）の前面側の上辺（７）から設置して展開させる。大便付着防止用シート（６）は陰のうの根元を半円形窓開き部分（８）でしっかり収めて腹部方向に持ち上げる。その上部の長方形窓開き部分（９）で尿道口その他を開放するため、排尿にストレスを与えることはない。これにより、陰のうが肛門と根元から分離された状態となるので、大便が陰のうに付着する現象は大幅に改善される。土手（３）と立体ギャザー（４）と大便付着防止用シート（６）を設置した介護用尿とりパッド（１）の装着時の手順は、まず立体ギャザー（４）を身体の会陰部箇所に合わせて、身体のお尻部分を介護用尿とりパッド（１）に乗せる。大便付着防止用シート（６）の上部（１０）を持ち、半円形窓開き部分（９）で陰のうの根元を収めて腹部方向に引き上げる。さらにその上から介護用尿とりパッド（１）の前面部分（１１）で尿道口をしっかり押えて重ねる。その後併用している介護用おむつで、定められた手順に沿って全体を収めてテープで固定する。
【符号の説明】
【０００９】  １  介護用尿とりパッド
２  会陰部が当たる位置
３  土手
４  立体ギャザー
５  介護用尿とりパッドの背面部
６  大便付着防止用シート
７  半円柱の盛り上った土手の前面側の上辺
８  半円形窓開き部分
９  長方形窓開き部分
１０  大便付着防止用シートの上部
１１  介護用尿とりパッドの前面部分
【図１】
2020049196.tif 000003
【図２】
2020049196.tif 000004
【図３】
2020049196.tif 000005
【図４】
2020049196.tif 000006
【手続補正書】
【提出日】平成31年4月11日(2019.4.11)
【手続補正１】
【補正対象書類名】特許請求の範囲
【補正対象項目名】全文
【補正方法】変更
【補正の内容】
【特許請求の範囲】
【請求項１】
おむつと併用される介護用尿とりパッドであって、
前面部と背面部とが連結部分を介してつながった１枚の平坦な尿吸収部材における前記連結部分に、横方向に沿って立体的に盛り上がった土手部を具備すると共に、前記土手部の横方向に沿って前記背面部の方向に向かう返しギャザーが設けられた介護用尿とりパッド。
【請求項２】
前記土手部における前記前面部側に、前記土手部の横方向に沿って半円形窓開き部を含む窓開き部が設けられた大便付着防止用シートを具備する請求項１記載の介護用尿とりパッド。
【手続補正２】
【補正対象書類名】明細書
【補正対象項目名】全文
【補正方法】変更
【補正の内容】
【発明の詳細な説明】
【技術分野】
【０００１】
本発明は、おむつと併用される介護用尿とりパッドに関するものである。
【背景技術】
【０００２】
自力でトイレに行けず介護を必要とする人のための従来の介護用尿とりパッドは男女共用が中心で、多くの製品では、性別の工夫が見当たらない。特に、テープ止めタイプの紙おむつ（横になった状態で交換するタイプの紙おむつ）と併用される尿とりパッドの場合、「尿とりパッド」と呼称しながら、実態は大便受けとしても併用されている。
【先行技術文献】
【特許文献】
【０００３】
【特許文献１】特開平８−２５２２７６号公報
【特許文献２】特開２００５−２７９００４号公報
【発明の概要】
【発明が解決しようとする課題】
【０００４】
テープ止めタイプの紙おむつと併用される従来の介護用尿とりパッドは、尿については相当量の吸収が可能になっているものの、大便については身体前面部側への汚れ拡散の防止策がない。それゆえ、寝たきりの状態の場合、病院は人手不足の状況下では長時間の間、身体面の広範囲が大便で汚れたまま放置されていることが多い。個人宅での介護においては、特に大便の汚れの拭きとり、洗浄に労力がかかり、大変苦労している。さらに介護の現場では、大便等による感染症が広く見られ、現実に大きな問題となっている。中でも、男性の陰のうに付着した大便の洗浄には大変手間がかかり、それぞれの現場で個別に工夫して対応しているのが実情である。
【０００５】
本発明は、上記に鑑みてなされたものであり、実施形態に説明する介護用尿とりパッドは、上記列挙した少なくともいずれかの欠点を解消する新規な介護用尿とりパッドを提供するものである。
【課題を解決するための手段】
【０００６】
本発明の第１の実施形態の介護用尿とりパッドは、
おむつと併用される介護用尿とりパッドであって、
前面部と背面部とが連結部分を介してつながった１枚の平坦な尿吸収部材における前記連結部分に、横方向に沿って立体的に盛り上がった土手部を具備すると共に、前記土手部の横方向に沿って前記背面部の方向に向かう返しギャザーが設けられたことを特徴とする。
【０００７】
本発明の第２の実施形態の介護用尿とりパッドは、前記第１の介護用尿とりパッドにおいて、
前記土手部における前記前面部側に、前記土手部の横方向に沿って半円形窓開き部を含む窓開き部が設けられた大便付着防止用シートを具備することを特徴とする。
【０００８】
上記第１の実施形態の介護用尿とりパッドは、特に女性向けの介護用尿とりパッドとして好適であり、上記第２の実施形態の介護用尿とりパッドは、男性向けの介護用尿とりパッドとして好適である。
【図面の簡単な説明】
【０００９】
【図１】従来の介護用尿とりパッド１０１の平面図
【図２】第１の実施形態の介護用尿とりパッドの斜視図
【図３】大便付着防止用シートの平面図
【図４】第２の実施形態の介護用尿とりパッドの斜視図
【発明を実施するための形態】
【００１０】
以下、本発明の実施形態について説明する。なお、同一の機能を有する部分については同一の符号を用いる。以下の実施形態はいずれも本発明の技術的思想を説明するための例示であり、限定的に解釈されるものでなく、当業者が想定しうる範囲の変形例を含むものと解する。
【００１１】
（第１の実施形態）
図１は、従来の介護用尿とりパッド１０１の平面図を示している。この介護用尿とりパッド１０１は、紙おむつと併用されるものである。介護用尿とりパッド１の構造は、図１に示されるとおり、背面部１０５と前面部１１１とが連結部分Ｃを介してつながった１枚の平坦な尿吸収パッドで構成されている。介護用尿とりパッド１０１の背面部１０５は肛門側に向けられ前面部は尿道口側に向けられて介護用おむつに全体が収められた状態で、紙おむつ全体をテープなどで固定して装着する。
【００１２】
従来の介護用尿とりパッド１０１の問題点は、１枚の尿吸収パッドの形状を加工して背面部１０５と前面部１１１とを設けただけの平坦な構造であるため、背面部１０５で捕捉した大便などの汚物が連結部分Ｃを介して前面部１１１の方に移動することを防止する手段を具備せず、それゆえ汚物が前面部１１１の方に移動するとそこから身体前面部側の広範囲に拡散してしまう点にあった。
【００１３】
図２は、第１の実施形態の介護用尿とりパッド１の斜視図である。図２に示すように、背面部５と前面部１１との連結部分Ｃの一部（連結部分Ｃの中央部付近はちょうど身体の会陰部があたる位置２となる）に、横方向に沿って半円柱状に立体的に盛り上がった土手部３を設けると共に、さらに、土手部３の横方向に沿って背面部５の方向に向けて複数のギャザー（ひだ）が設けられた返しギャザー４を設ける構成を採用する。土手部３の盛り上がりと返しギャザー４とによって立体ギャザーを構成する。立体ギャザーは、大便が前面部１１側への移動を堰き止める役割を果たすものであり、返しギャザー４は土手部３の最も盛り上がった部分よりも背面部５側にわずかに下がった部位に設けられていることが好ましい。
【００１４】
土手部３と返しギャザー４と大便付着防止用シート６を設置した介護用尿とりパッド１の装着時の手順は、まず返しギャザー４の中央部付近が身体の会陰部付近にくるように、身体のお尻部分を介護用尿とりパッド１に乗せる。そして介護用尿とりパッド１の前面部１１で尿道口をしっかり押さえて重ねる。その後併用している介護用おむつで、定められた手順に沿って全体を収めて紙おむつ全体をテープで固定する。
【００１５】
本実施形態の介護用尿とりパッド１は、特に女性向けの介護用尿とりパッドとして好適に利用することができ、本実施形態の介護用尿とりパッド１の構成によれば、大便が身体前面側の尿道口やデリケートな部分に付着あるいは侵入することを防止できる結果、身体前面部側の広範囲に拡散することを未然に防止できる利点がある。さらに、介護者が介護用尿とりパッドを取り替える際にも、大便の拭きとりや洗浄が、被介護者の背面部側中心となるため、介護者にとって作業が早く、楽になるといった利点がある。さらに、介護用尿とりパッド１の背面部５側から流れ出た大便が土手３及び返しギャザー４によって堰き止められ、そのまま背面部５側に留まって前面部１１側に移動しないため、介護者がトイレに大便を流す際にも、作業しやすい。
【００１６】
（第２の実施形態）
図４は、第２の実施形態の介護用尿とりパッド１を表す斜視図であり、図２に示す第１の実施形態の介護用尿とりパッド１における半円柱状に盛り上がった土手部３の前面部１側（図２における半円柱の盛り上がった土手部の前面側の上辺７近傍）に、大便付着防止用シート６が設けられている。
【００１７】
図３は、土手部３の前面部１側に取り付けられる大便付着防止用シート６の平面図を表している。大便付着防止用シート６は薄いシート状の部材で構成され、内部に１つの大きな窓開き部が設けられている。窓開き部は、長方形窓開き部８と半円形窓開き部９とで構成されており、男性器が通る程度の大きさを有する。それゆえ、陰のうの根元を半円形窓開き部８でしっかり収めて腹部方向に持ち上げる役割を果たす。その上部の長方形窓開き部９で尿道口その他を開放するため、排尿時にストレスを与えることはない。そして、大便付着防止用シート６によって常時、陰のうが肛門と根元から分離された状態が維持されるので、大便が陰のうに付着しにくくなる。
【００１８】
土手部３と返しギャザー４と大便付着防止用シート６を設置した介護用尿とりパッド１の装着時の手順は、まず返しギャザー４の中央部付近が身体の会陰部付近にくるように、身体のお尻部分を介護用尿とりパッド１に乗せる。大便付着防止用シート６の上部１０を持ち、長方形窓開き部９で陰のうの根元を収めて腹部方向に引き上げる。さらにその上から介護用尿とりパッド１の前面部１１で尿道口をしっかり押さえて重ねる。その後併用している介護用おむつで、定められた手順に沿って全体を収めてテープで固定する。
【００１９】
第２の実施形態の介護用尿とりパッド１は、特に男性向けの介護用尿とりパッドとして好適に利用することができ、本実施形態の介護用尿とりパッド１の構成によれば、大便が陰のうに付着することを防止できる利点がある。さらに、上述した第１の実施形態と同様に、介護者が排便した際に介護用尿とりパッドを取り替える際にも、大便の拭きとりや洗浄が、被介護者の背面部側中心となるため、介護者にとって作業が早く、楽になるといった利点がある。さらに、介護用尿とりパッド１の背面部５側に大便が堰き止められ留まるため、介護者がトイレに大便を流す際にも、作業しやすい。
【符号の説明】
【００２０】
１  介護用尿とりパッド
２  身体の会陰部があたる位置
３  土手部
４  返しギャザー
５  背面部
６  大便付着防止用シート
７  半円柱の盛り上がった土手部の前面側の上辺
８  半円形窓開き部
９  長方形窓開き部
１０  大便付着防止用シートの上部
１１  前面部
Ｃ    連結部分
【手続補正３】
【補正対象書類名】図面
【補正対象項目名】図１
【補正方法】変更
【補正の内容】
【図１】
2020049196.tif 000007
【手続補正４】
【補正対象書類名】図面
【補正対象項目名】図２
【補正方法】変更
【補正の内容】
【図２】
2020049196.tif 000008
【手続補正５】
【補正対象書類名】図面
【補正対象項目名】図３
【補正方法】変更
【補正の内容】
【図３】
2020049196.tif 000009
【手続補正６】
【補正対象書類名】図面
【補正対象項目名】図４
【補正方法】変更
【補正の内容】
【図４】
2020049196.tif 000010